(57)【要約】      （修正有）【課題】展開・組み立てを可能に折り重ねられた販促展示用材を梱包する梱包用材を、開梱後も補強材として無駄なく利用することで、耐久性に富む製品展示台や製品紹介のための立て看板として用いることができる販促用展示ユニットを提供する。【解決手段】所定の立体形状を呈する展示用構造体への展開・組み立てを可能に組み合わされた２枚の構成部片２３からなる販促展示用材と、展示用構造体として組み立てられる前の構成部片２３を基準にその全体を包み込むに足る展開表面積を備えて構成部片２３の一括梱包を可能に形成された梱包用材６１とで構成され、該梱包用材６１は、組み立て後の展示用構造体がその内部に備える空間部内に折曲装填することで、該展示用構造体のための補強材６２としての利用を可能とした。【選択図】図１
0003163178.tif 000002
【実用新案登録請求の範囲】
【請求項１】
所定の立体形状を呈する展示用構造体への展開・組み立てを可能に組み合わされた１以上の構成部片からなる販促展示用材と、前記展示用構造体として組み立てられる前の前記構成部片にあって最大の表面積を備えるものを基準にその全体を包み込むに足る展開表面積を備えて前記構成部片の一括梱包を可能に形成された梱包用材とで構成され、該梱包用材は、組み立て後の前記展示用構造体がその内部に備える空間部内に折曲装填することで、該展示用構造体のための補強材との利用を可能としたことを特徴とする販促用展示ユニット。
【請求項２】
前記販促展示用材は、前記展示用構造体を製品展示ボックスとしての組立てが可能な平面形状を付与して形成した請求項１に記載の販促用展示ユニット。
【請求項３】
前記販促展示用材は、前記展示用構造体を製品紹介のための立て看板としての組立てが可能な平面形状を付与して形成した請求項１に記載の販促用展示ユニット。
【考案の詳細な説明】
【技術分野】
【０００１】
本考案は、展開・組み立てを可能に折り重ねられた販促展示用材を梱包用材で梱包し、開梱後に展開・組み立てることで展示用構造体して使用できるようにした販促用展示ユニットに関する技術である。
【背景技術】
【０００２】
装いも新たに次から次へと顧客に向けて提供される新製品は、少しでも顧客の目に付くように種々の工夫を凝らして展示することで、顧客に対する訴求力を高めてやる必要がある。
【０００３】
この場合、新製品に強い顧客吸引力を発揮させる観点からは、斬新なＰＯＰ広告手法を採用したり、デザイン的な注目度の高い製品展示販売台を設置して顧客の注意を強く惹きつける手法を採用する必要がある。
【０００４】
そして、このような用途に供される製品展示販売台については、組み立て前の状態にある各構成部片を別途用意される外ケース内に入れて梱包し、開梱して外ケースから各構成部片を取り出した上で、製品展示販売台として組み立てた上で、用途に応じた使用に供されるのが一般的であった。
【０００５】
また、従来からある製品展示販売台は、店頭もしくは展示会場へと運搬する際の荷姿が嵩張ってしまったり、陳列配置する際の組立て作業やその撤収作業に多くの時間を要するなどの問題があったことから、例えば特許文献１に開示されている「ワンタッチ式展示サンプル固定収納スペース付き縦型表示スタンド」のような技術も既に提案されている。
【先行技術文献】
【特許文献】
【０００６】
【特許文献１】実用新案登録第３１１３５５１号公報
【０００７】
上記特許文献１の開示技術によれば、折り畳まれた平板状の厚紙をワンタッチで組み立てることができ、その組み立て後には、別途用意される展示サンプルを固定させる収納スペースを前面に確保できるほか、後方には縦型の表示パネルを後方に具備させた立体的な製品展示パネルとして使用することができるようになっている。
【０００８】
しかも、製品展示パネルは、底面部のフック部分を掛合させることで、接着剤なしでその立体形状を安定的に固定させることができ、その撤収時には簡単にもとの平板状の厚紙に戻すことができるようになって形成されている。
【０００９】
このため、その運搬時には、嵩張らず軽量な平板状の厚紙として持ち運ぶことができ、立体化して使用する際は、ワンタッチで短時間に組み立てることができ、さらには、使用後の廃棄、再生、焼却処理も容易に行うことができることになる。
【考案の概要】
【考案が解決しようとする課題】
【００１０】
しかし、従来技術のうち、組み立て前の各構成部片を外ケース内に入れて梱包し、開梱後の各構成部片を用いて製品展示販売台として組み立てる手法は、開梱後の外ケースが不要になってゴミ屑化してしまい、その保管場所が必要になったり、ゴミ処理のためのコストが余計にかかってしまうなどの不都合があった。
【００１１】
また、上記特許文献１に開示されている技術は、小形の製品を単品で紹介する際には有効であるとしても、比較的大形な製品や複数個の小形の製品を効果的に展示したり、訴求力に富むメッセージを顧客に発信したりする販促用媒体としては必ずしも十分には機能させることができない不具合があった。
【００１２】
本考案は、従来技術にみられた上記課題に鑑み、展開・組み立てを可能に折り重ねられた販促展示用材を梱包する梱包用材を、販促展示用材を展示用構造体として組み立てた後も補強材として無駄なく利用することで、耐久性に富む製品展示台や製品紹介のための立て看板として用いることができるようにした販促用展示ユニットを提供することを目的とする。
【課題を解決するための手段】
【００１３】
本考案は、上記目的を達成すべくなされたものであり、所定の立体形状を呈する展示用構造体への展開・組み立てを可能に組み合わされた１以上の構成部片からなる販促展示用材と、前記展示用構造体として組み立てられる前の前記構成部片にあって最大の表面積を備えるものを基準にその全体を包み込むに足る展開表面積を備えて前記構成部片の一括梱包を可能に形成された梱包用材とで構成され、該梱包用材は、組み立て後の前記展示用構造体がその内部に備える空間部内に折曲装填することで、該展示用構造体のための補強材との利用を可能としたことを最も主要な特徴とする。
【００１４】
この場合、前記販促展示用材は、前記展示用構造体を製品展示ボックスや製品紹介のための立て看板として組み立てることができる平面形状を付与して形成するのが好ましい。
【考案の効果】
【００１５】
本考案のうち、請求項１の考案によれば、販促展示用材を梱包する梱包用材をその開梱後にゴミ屑として棄てることなく、販促展示用材を展示用構造体として立体化させた際の補強材として折曲装填することで再利用することができるので、省資源の時代の要請に対応できるだけでなく、ゴミ屑のストックスペースををなくした分だけ省スペース化を実現することができる。
【００１６】
しかも、従来はゴミ屑として棄てられていた梱包用材は、立体化させた後の展示用構造体のための補強材として使用することで、該展示用構造体の耐久性を高めてやることができるほか、ゴミ処理に要する費用や労力を節減することで全体コストの低減にも有効に寄与させることができる。
【００１７】
請求項２の考案によれば、販促展示用材を立体化した展示用構造体を直ちに製品展示ボックスとして使用することができるので、比較的大形な製品複数個の小形の製品を効果的に展示することで、顧客に対する訴求力を高めてやることができる。
【００１８】
請求項３の考案によれば、販促展示用材を立体化した展示用構造体を直ちに製品紹介のための立て看板として使用することができるので、それだけ顧客の注目を集めることができる。
【図面の簡単な説明】
【００１９】
【図１】本考案の第１の例についての構成部材の展開図。
【図２】図１に示す第１の例についての展開・組立て工程を示す説明図。
【図３】本考案の第２の例についての構成部材の展開図。
【図４】図３に示す第２の例についての展開・組立て工程を示す説明図。
【図５】本考案の第３の例についての構成部材の展開図。
【図６】図５に示す第３の例についての展開・組立て工程を示す説明図。
【図７】本考案の第４の例についての構成部材の展開図。
【図８】図７に示す第４の例についての展開・組立て工程を示す説明図。
【考案を実施するための形態】
【００２０】
本考案は、図１〜図８に示されているように、所定の立体形状を呈する展示用構造体１３への展開・組み立てを可能に組み合わされた１以上の構成部片２３または３３，３４または４３，４４，４５または５３，５４，５５からなる販促展示用材１１と、展示用構造体１２として組み立てられる前の構成部片２３または３３，３４または４３，４４，４５または５３，５４，５５中で最大の表面積を備えるものの全体を包み込むに足る展開表面積を備えて構成部片２３または３３，３４または４３，４４，４５または５３，５４，５５の一括梱包を可能に形成された梱包用材６１とで構成されている。
【００２１】
しかも、梱包用材６１は、組み立て後の展示用構造体１２がその内部に備える空間部２８または３６または４６または５７内に折曲装填することで、該展示用構造体１２のための補強材６２または６３または６４または６７としての機能が付与されて有効活用できるようになっている。
【００２２】
ここで、本考案の具体的な構造につき、図１および図２に示す第１の例に基づいて説明すれば、販促展示用材１１は、左右対称の平面形状を呈する２枚の構成部片２３の組み合わせとして、梱包用材６１は、単体としてそれぞれ用意される。
【００２３】
この場合、販促展示用材１１は、図２の（１）に示す梱包状態や、図２の（２）に示す開梱状態からも明らかなように、一方の構成部片２３の部片本体部２４が備える糊代部２５を他方の構成部片２３の部片本体部２４側に、他方の構成部片２３の部片本体部２４が備える糊代部２５を一方の構成部片２３の部片本体部２４側にそれぞれ接合して図２の（３）に示す状態に組み合わされる。しかる後、販促展示用材１１は、例えば左側方向に押し倒して平板化された状態のもとで、展開された梱包用材６１の右半分側に配置され、左半分側を折り返して挟み込まれ、粘着テープのようなテープ材６９を貼着して確実に梱包した上で所定の場所まで運ばれる。
【００２４】
図２の（１）に示す状態にある梱包用材６１を図２の（２）に示すように開梱した後は、販促展示用材１１を取り出して図２の（３）にその内部に空間部２８が確保されるように立体化する。
【００２５】
一方、展開状態にある梱包用材６１は、図１に破線として示されている各折曲位置に従って折曲することで、立体化された販促展示用材１１の空間部２８内への密なる収容が可能な補強材６２とすることができ、該補強材６２を図２の（５）に示すようにその差込み溝部６２ａを上面に位置させた状態のもとで販促展示用材１１の空間部２８内に収容する。
【００２６】
補強材６２を販促展示用材１１の空間部２８内に収容した後は、販促展示用材１１の両方の下蓋部２６で補強材６２側を覆った後、両方の上蓋部２７でその上からさらに覆い、該上蓋部２７が備える差込み片２７ａを下蓋部２６のスリット２６ａと差込み溝部６２ａとへと差し込んで一体化することで、展示用構造体１２のひとつである第１の製品展示ボックス２２として直ちに使用することができる。
【００２７】
次に、本考案の具体的な構造につき、図３および図４に示す第２の例に基づいて説明すれば、販促展示用材１１は、平面形状を異にする２種類の構成部片３３，３４の組み合わせとして、梱包用材６１は、単体としてそれぞれ用意される。
【００２８】
この場合、販促展示用材１１は、図４の（１）に示す梱包状態や、図４の（２）に示す開梱状態からも明らかなように、第１の構成部片３３と第２の構成部片３４とを用いて図４の（３）に示されているような立体形状に組み合わされる。
【００２９】
しかる後、販促展示用材１１は、図４の（３）に示す立体形状を押し倒して平板化された状態のもとで、第３の構成部片３５共々展開された梱包用材６１の中央部位に配置した上で、左右方向から折り返して挟み込まれ、その中央部位にテープ材６９を貼着して確実に梱包した上で所定の場所まで運ばれる。
【００３０】
図４の（１）に示す状態にある梱包用材６１を図４の（２）に示すように開梱した後は、販促展示用材１１を取り出して図４の（３）にその内部に空間部３６が確保されるように立体化する。
【００３１】
一方、展開状態にある梱包用材６１は、図３に破線として示されている各折曲位置に従って折曲することで、立体化された販促展示用材１１の空間部３６内への密なる収容が可能な補強材６３とすることができ、該補強材６３を図４の（６）に示すようにその差込み溝部６３ａを上面に位置させた状態のもとで販促展示用材１１の空間部３６内に収容する。
【００３２】
補強材６３を販促展示用材１１の空間部３６内に収容した後は、展示用構造体１２のひとつである第２の製品展示ボックス３２として直ちに使用することができる。
【００３３】
さらに、本考案の具体的な構造につき、図５および図６に示す第３の例に基づいて説明すれば、販促展示用材１１は、平面形状を同じくする一対の第１の構成部片４３，４３と、同様に平面形状を同じくする一対の第２の構成部片４４，４４と、これらとは異なる第３の構成部片４５との５枚の組み合わせとして、梱包用材６１は、３種類の梱包部片６５，６６，６７としてそれぞれ用意される。
【００３４】
この場合、販促展示用材１１は、図６の（１）に示す梱包状態や、図６の（２）に示す開梱状態からも明らかなように、一対の第１の構成部片４３，４３と一対の第２の構成部片４４，４４とを用いて図６の（３）に示されているような立体形状に組み合わされる。
【００３５】
しかる後、販促展示用材１１は、図６の（３）に示す立体形状を押し倒して平板化された状態のもとで、図６の（２）に示すように展開された梱包部片６５の中央部位に、第３の構成部片４５と他の梱包部片６６，６７とを含めて配置した上で、左右方向から折り返して挟み込まれ、その中央部位にテープ材６９を貼着して確実に梱包した上で所定の場所まで運ばれる。
【００３６】
図６の（１）に示す状態にある梱包用材６１としての梱包部片６５を図６の（２）に示すように開梱した後は、販促展示用材１１を取り出して図６の（３）に示すように、その内部に空間部４６が確保されるように立体化する。
【００３７】
一方、展開状態にある梱包部片６５は、図５に破線として示されている各折曲位置に従って折曲することで、図６の（５）に示す形とすることができ、その際に形成される差込み溝部６５ａには、他の梱包部片６６がその差込み溝部６６ａを介して差し込まれることで、図６の（６）に示されるように相互を交差すさせて組み立てることができる。
【００３８】
このようにして組み立てられた梱包部片６５と梱包部片６６とは、立体化された販促展示用材１１の空間部４６内に密に収容され、しかる後に、残余の梱包部片６７を覆った第３の構成部片４５を交差配置されている梱包部片６５と梱包部片６６との上面に載置させることで、梱包部片６５と梱包部片６６と梱包部片６７とを補強材６４として収容させた展示用構造体１２のひとつである第３の製品展示ボックス４２として直ちに使用することができる。
【００３９】
一方、本考案の具体的な構造につき、図７および図８に示す第４の例に基づいて説明すれば、販促展示用材１１は、平面形状を同じくする４枚の第１の構成部片５３と、これらとは平面形状を異にする一対の第２の構成部片５４，５４と、異形小片からなる４枚の第３の構成部片５５との組み合わせとして、梱包用材６１は、単品としてそれぞれ用意される。
【００４０】
この場合、販促展示用材１１は、図８の（１）に示す梱包状態や、図８の（２）に示す開梱状態からも明らかなように、２枚の第1の構成部片５３と一対の第２の構成部片５４，５４と４枚の第３の構成部片５５とを用いて図８の（５）に示す立体形状に組み立てる前の状態にまで組み合わせておく。
【００４１】
また、このように２枚の第1の構成部片５３と一対の第２の構成部片５４，５４と４枚の第３の構成部片５５とを組み合わせて平板化された状態の販促展示用材１１は、残りの２枚の第１の構成部片５３を相互に接合し、図８の（６）に示されている立て看板５２の上側部５７として用いられる状態のものを平板状にして一緒に図８の（２）に示すように展開された梱包部片６１の中央部位に配置した上で、左右方向から折り返して挟み込まれ、その中央部位にテープ材６９を貼着して確実に梱包した上で所定の場所まで運ばれる。
【００４２】
図８の（１）に示す状態にある梱包用材６１を図８の（２）に示すように開梱した後は、２枚の第1の構成部片５３と一対の第２の構成部片５４，５４と４枚の第３の構成部片５５とを組み合わせて平板化された状態の販促展示用材１１を、図８の（５）に示す状態の下側部５９として組み立てることで立体化する。
【００４３】
一方、図８の（３）に示すように展開状態にある梱包用材６１は、破線として示されている各折曲位置に従って折曲することで、図８の（４）に示す形とすることができ、これを図８の（５）に示すように空間部５７内に差し込んで補強材６７として用いられることになる。
【００４４】
このようにして差し込まれた補強材６７の露出する上側部分には、残りの２枚の第１の構成部片５３，５３を相互に接合してなる立て看板５２の上側部５８を被せることで、展示用構造体１２のひとつである立て看板５２として直ちに使用することができる。
【００４５】
本考案は、このようにして構成されているので、販促展示用材１１を梱包する梱包用材６１をその開梱後にゴミ屑として棄てることなく、販促展示用材１１を展示用構造体１２として立体化させた際の補強材６２，６３，６４，６７として折曲装填することで再利用することができるので、省資源の時代の要請に対応させることができるだけでなく、ゴミ屑のストックスペースををなくした分だけ省スペース化を実現することができることになる。
【００４６】
しかも、従来はゴミ屑として棄てられていた梱包用材６１は、立体化させた後の展示用構造体１２のための補強材６２，６３，６４，６７として使用することで、該展示用構造体１２の耐久性を高めてやることができるほか、ゴミ処理に要する費用や労力を節減することで全体コストの低減にも有効に寄与させることができることになる。
【００４７】
特に、販促展示用材１１を立体化した展示用構造体１２が製品展示ボックス２２，３２，４２であれば、これらの製品展示ボックス２２，３２，４２を用いて比較的大形な製品や複数個の小形の製品を効果的に展示することができるので、、顧客に対する訴求力を高めてやることができる。
【００４８】
また、販促展示用材１１を立体化した展示用構造体１２が製品紹介のための立て看板５２であれば、該立て看板５２を用いることで顧客の注目を集めることができる。
【符号の説明】
【００４９】
１１  販促展示用材
１２  展示用構造体
２２  製品展示ボックス
２３  構成部片
２４  部片本体部
２５  糊代部
２６  下蓋部
２６ａ  スリット
２７  上蓋部
２７ａ  差込み片
２８  空間部
３２  製品展示ボックス
３３，３４  構成部片
３６  空間部
４２  製品展示ボックス
４３，４４，４５  構成部片
４６  空間部
５２  立て看板
５３，５４，５５  構成部片
５７  空間部
５８  上側部
５９  下側部
６１  梱包用材
６２  補強材
６２ａ  差込み溝部
６３  補強材
６３ａ  空隙部
６４  補強材
６５，６６，６７  梱包部片
６５ａ，６６ａ  差込み溝部
６７  補強材
６９  テープ材
【図１】
0003163178.tif 000003
【図２】
0003163178.tif 000004
【図３】
0003163178.tif 000005
【図４】
0003163178.tif 000006
【図５】
0003163178.tif 000007
【図６】
0003163178.tif 000008
【図７】
0003163178.tif 000009
【図８】
0003163178.tif 000010